(57)【要約】【課題】  生コンクリート製造プラントにおいて、軽量骨材が供給装置内を循環する構成とすることにより、軽量骨材が停留して固化することのない軽量骨材の供給装置を提供すること。【解決手段】  加水された軽量骨材を受け入れる軽量骨材ホッパ１４と、軽量骨材ホッパから軽量骨材を搬出する第１搬送コンベア１７と、第１搬出コンベアにて搬出された軽量骨材を生コンクリート製造プラントの計量槽８に供給し得る高さまで搬送する昇降搬送手段１８と、昇降搬送手段にて搬送された軽量骨材を受け入れ正転することで軽量骨材を計量槽内に投入し、計量槽にて計量が終了した後は、逆転することで軽量骨材を逆方向に搬送する第２搬送コンベア２１と、第２搬送コンベアの逆方向搬送側の端部と軽量骨材ホッパとの間を連結するものであって、投入された軽量骨材を軽量骨材ホッパ１４に戻すための搬送手段２３とにより軽量骨材の供給装置を構成した。【選択図】  図１
2019181915.tif 000002
【特許請求の範囲】
【請求項１】
生コンクリート製造プラントに軽量骨材を供給する軽量骨材の供給装置であって、
加水された軽量骨材を受け入れる軽量骨材ホッパが設けられ、
上記軽量骨材ホッパから上記軽量骨材を搬出する第１搬送コンベアが設けられ、
上記第１搬出コンベアにて搬出された上記軽量骨材を上記生コンクリート製造プラントの計量槽に供給し得る高さまで搬送する昇降搬送手段が設けられ、
上記昇降搬送手段にて搬送された上記軽量骨材を受け入れるものであり、正転されることで、上記昇降搬送手段で搬送された上記軽量骨材を上記計量槽内に投入し、逆転されることで、上記軽量骨材を逆方向に搬送する第２搬送コンベアが設けられ、
上記第２搬送コンベアの逆方向搬送側の端部と上記軽量骨材ホッパとの間を連結するものであって、上記第２搬送コンベアが逆転することで投入された軽量骨材を上記軽量骨材ホッパに戻すための搬送手段とが設けられたものである軽量骨材の供給装置。
【請求項２】
上記加水された軽量骨材は、骨材貯蔵ヤードにおける散水設備を有する骨材貯蔵槽内において加水されたものであり、
上記軽量骨材は、上記骨材貯蔵槽から上記軽量骨材ホッパに第３搬送コンベアにて搬送されるものである請求項１記載の軽量骨材の供給装置。
【請求項３】
上記第１搬送コンベア及び上記第２搬送コンベアは各々スクリューコンベアにより構成されたものである請求項１又は２記載の軽量骨材の供給装置。
【請求項４】
上記昇降搬送手段はバケットエレベータであることを特徴とする請求項１〜３の何れかに記載の軽量骨材の供給装置。
【請求項５】
請求項１記載の軽量骨材の供給装置を使用した軽量骨材の供給方法であり、
上記軽量骨材ホッパにて加水された軽量骨材を受け入れ、
上記軽量骨材ホッパから上記軽量骨材を上記第１搬出コンベアにて搬出し、
上記第１搬出コンベアにて搬出された上記軽量骨材を上記昇降搬送手段にて上記生コンクリート製造プラントの計量槽に供給し得る高さまで搬送し、
上記第２搬送コンベアを正転することで、上記昇降搬送手段から受け入れた上記軽量骨材を上記計量槽内に投入し、上記計量槽にて上記軽量骨材の計量動作を行い、
上記第２搬送コンベアを逆転することで、上記軽量骨材を逆方向に搬送し、
上記第２搬送コンベアが逆転することで上記搬送手段に投入された軽量骨材を上記軽量骨材ホッパに戻すことにより、上記軽量骨材を循環させるようにした軽量骨材の供給方法。
【発明の詳細な説明】
【技術分野】
【０００１】
本発明は、生コンクリート製造プラントにおける軽量骨材の供給装置及び供給方法に関するものである。
【背景技術】
【０００２】
従来、生コンクリート製造プラントは、骨材貯蔵ヤードにおいて複数の骨材貯蔵槽が設けられており、各貯蔵槽の下側の引き出しコンベアによって必要な骨材を搬出し、取り出した骨材を傾斜コンベアによって上記製造プラント上部の貯蔵瓶に投入し、その後、当該骨材と共に、セメント、混和剤、水等の各材料が各計量槽に投入されて各別に計量され、計量された原料がミキサによって練り混ぜられた後、地上の生コン車に投入されるものである。
【０００３】
上記骨材の内、比重が１．６程度の軽量骨材（例えば天然軽量骨材では軽石、火山礫等）は、予め散水又は浸水により十分に吸水（加水）させることが必要であり（プレウェッティング）、上記従来の骨材貯槽槽においても、散水設備を有するものが使用されている。
【０００４】
また、骨材の表面水率を均一化するために、軽量骨材を骨材貯蔵瓶に投入し、計量器の下開閉ゲートから骨材貯蔵槽に骨材を戻すコンベアを設け、骨材貯留槽の上部から骨材を投入することにより、骨材貯留槽内において骨材を混ぜ合わせることで骨材の表面水率を均一化する装置が提案されている（特許文献１）。
【先行技術文献】
【特許文献】
【０００５】
【特許文献１】特開平９−１５５８５０号公報
【発明の概要】
【発明が解決しようとする課題】
【０００６】
上記軽量骨材は、長時間、貯蔵槽又は製造プラント内の骨材貯蔵瓶に貯蔵しておくと、全部又は一部が固化して貯蔵瓶の下開閉ゲートから取り出し不能となるので、長時間の保管が難しいという問題があった。
【０００７】
即ち、仮に、上記軽量骨材を生コンクリート製造プラントにて使用する場合は、軽量骨材の専用の貯蔵瓶は存在しないので、例えば砂用の貯蔵瓶を空にして、当該砂用の貯蔵瓶に加水後の軽量骨材を投入することが考えられるが、加水された軽量骨材がプラントの貯蔵瓶内において長時間（例えば１日）排出されない停留状態におかれると、上記貯蔵瓶内の軽量骨材が一部固化してしまい、その後排出ゲートを開いたとしても、貯蔵瓶内に計量骨材のデッドストックが生じて、円滑に排出されないという課題があった。
【０００８】
上記特許文献１の装置は、骨材の表面水率を均一化する効果はあるが、骨材を骨材貯蔵瓶に一旦投入するものであるから、当該貯蔵瓶内に骨材が長時間停留して貯蔵瓶内における固化が発生する可能性がある。従って、この特許文献１の装置を軽量骨材に適用しても、結果として骨材貯蔵瓶にて加水後の軽量骨材が固化するという課題を解決できない。
【０００９】
本発明は上記従来の課題に鑑みてなされたものであり、生コンクリート製造プラントにおいて、軽量骨材ホッパから直接計量槽に加水後の軽量骨材を投入することができ、余った軽量骨材は軽量骨材ホッパに戻すことにより、軽量骨材が供給装置内を循環するに構成とすることにより、軽量骨材が停留して固化することのない軽量骨材の供給装置及び軽量骨材の供給方法を提供することを目的とする。
【課題を解決するための手段】
【００１０】
上記の目的を達成するため本発明は、
第１に、生コンクリート製造プラントに軽量骨材を供給する軽量骨材の供給装置であって、加水された軽量骨材を受け入れる軽量骨材ホッパが設けられ、上記軽量骨材ホッパから上記軽量骨材を搬出する第１搬送コンベアが設けられ、上記第１搬出コンベアにて搬出された上記軽量骨材を上記生コンクリート製造プラントの計量槽に供給し得る高さまで搬送する昇降搬送手段が設けられ、上記昇降搬送手段にて搬送された上記軽量骨材を受け入れるものであり、正転されることで、上記昇降搬送手段で搬送された上記軽量骨材を上記計量槽内に投入し、逆転されることで、上記軽量骨材を逆方向に搬送する第２搬送コンベアが設けられ、上記第２搬送コンベアの逆方向搬送側の端部と上記軽量骨材ホッパとの間を連結するものであって、上記第２搬送コンベアが逆転することで投入された軽量骨材を上記軽量骨材ホッパに戻すための搬送手段とが設けられたものである軽量骨材の供給装置により構成される。
【００１１】
上記第１搬送コンベアは例えばスクリューコンベア（１７）により構成することができる。上記昇降搬送手段は例えばバケットエレベータ（１８）により構成することができる。上記第２搬送コンベアは例えば正逆スクリューコンベア（２１）により構成することができる。上記搬送手段は例えばシュートパイプ（２３）により構成することができる。このように構成すると、加水された軽量骨材を、直接計量槽に投入して計量して使用することができ、計量槽に投入した軽量骨材以外の加水後の軽量骨材は、第２搬送コンベアの逆転により、搬送手段、軽量骨材ホッパ、第１搬送コンベア、昇降搬送手段、第２搬送コンベアの経路を循環させておくことができ、一か所の貯蔵槽に長時間保管することによる軽量骨材の固化を防止して、必要な量の軽量骨材をいつでも使用することができる。
【００１２】
第２に、上記加水された軽量骨材は、骨材貯蔵ヤードにおける散水設備を有する骨材貯蔵槽内において加水されたものであり、上記軽量骨材は、上記骨材貯蔵槽から上記軽量骨材ホッパに第３搬送コンベアにて搬送されるものである上記第１記載の軽量骨材の供給装置により構成される。
【００１３】
上記第３搬送コンベアは例えば搬送用スクリューコンベア（１５ｃ）により構成することができる。このように構成すると、上記軽量骨材貯蔵ヤードにおける骨材貯蔵槽において適宜加水することができ、第３搬送コンベアにより、加水後の必要な量の軽量骨材を適宜、軽量骨材ホッパに取り入れることができる。
【００１４】
第３に、上記第１搬送コンベア及び上記第２搬送コンベアは各々スクリューコンベアにより構成されたものである上記第１又は２記載の軽量骨材の供給装置により構成される。
【００１５】
第４に、上記昇降搬送手段はバケットエレベータであることを特徴とする上記第１〜３の何れかに記載の軽量骨材の供給装置により構成される。
【００１６】
第５に、上記第１記載の軽量骨材の供給装置を使用した軽量骨材の供給方法であり、上記軽量骨材ホッパにて加水された軽量骨材を受け入れ、上記軽量骨材ホッパから上記軽量骨材を上記第１搬出コンベアにて搬出し、上記第１搬出コンベアにて搬出された上記軽量骨材を上記昇降搬送手段にて上記生コンクリート製造プラントの計量槽に供給し得る高さまで搬送し、上記第２搬送コンベアを正転することで、上記昇降搬送手段から受け入れた上記軽量骨材を上記計量槽内に投入し、上記計量槽にて上記軽量骨材の計量動作を行い、上記第２搬送コンベアを逆転することで、上記軽量骨材を逆方向に搬送し、上記第２搬送コンベアが逆転することで上記搬送手段に投入された軽量骨材を上記軽量骨材ホッパに戻すことにより、上記軽量骨材を循環させるようにした軽量骨材の供給方法により構成される。
【発明の効果】
【００１７】
本発明は上述のように、加水された軽量骨材を、直接計量槽に投入して計量して使用することができ、計量層に投入した軽量骨材以外の加水後の軽量骨材は、第２搬送コンベアの逆転により、供給装置内を循環させておくことができ、一か所の貯蔵槽に長時間保管することによる軽量骨材の固化（デッドストック）を防止して、必要な量の軽量骨材をいつでも使用することができる。
【００１８】
また、上記軽量骨材貯蔵ヤードにおける骨材貯蔵槽において適宜散水することができ、第３搬送コンベアにより、必要な量の加水後の軽量骨材を適宜、軽量骨材ホッパに取り入れることができる。
【図面の簡単な説明】
【００１９】
【図１】本発明に係る軽量骨材の供給装置の一部を断面とした正面図である。
【図２】同上装置の一部を断面とした側面図である。
【図３】同上装置の計量槽近傍の横断面図である。
【図４】同上装置の計量槽近傍の拡大正面図である。
【図５】同上装置の計量槽近傍の拡大側面図である。
【図６】同上装置における骨材貯蔵ヤードの散水機能付軽量骨材貯蔵槽の説明図である。
【図７】同上装置の電気的ブロック図である。
【図８】同上装置の制御部の動作手順を示すフローチャートである。
【発明を実施するための形態】
【００２０】
以下、本発明における軽量骨材の供給装置及び軽量骨材の供給方法について詳細に説明する。
【００２１】
図１、図２において、１は生コンクリート製造プラントであり、縦長の直方体形状をなす筐体２が、方形基礎架台４上に設けられており、上記方形基礎架台４の各四隅には脚部３が各々設けられており、これらの脚部３により上記筐体２が地面Ｇ上に起立状態で構築されている。
【００２２】
上記筐体２内において、上部には骨材を種類毎に貯蔵するための複数の貯蔵瓶５ａ，５ｂ等が設けられている。これらの貯蔵瓶５ａ，５ｂの上部にはターンシュート６が設けられており、図示しない骨材貯蔵ヤードにおける骨材貯蔵槽から傾斜コンベアにより運ばれてきた骨材が、当該ターンシュート６の上部６ａから投入され、当該ターンシュート６により該当する骨材貯蔵瓶５ａ，５ｂの何れかに骨材が種類毎に投入されるように構成されている。
【００２３】
上記各貯蔵瓶５ａ，５ｂの下部には各々開閉ゲート７が設けられており、シリンダー７ａの駆動により上記各開閉ゲート７が開閉し、上記貯蔵瓶５ａ，５ｂ等から必要な量の骨材が下段の計量槽８に投入し得るように構成されている。
【００２４】
上記計量槽８は、投入された骨材をロードセルにより計量し、計量値を後述の制御部２５（図７参照）に送出する。尚、上記計量槽８は、図３に示すように、骨材（細骨材、粗骨材）の計量槽８ａ，８ｂの他、セメント、水、混和材、混和剤の計量槽（８ｃ，８ｄ等）が設けられており、各計量槽８において必要な材料の計量が行われるように構成されている。
【００２５】
上記計量槽８の下部には開閉ゲート９、該開閉ゲート９の駆動シリンダー１０が設けられており、計量後に上記制御部２５の制御により、上記シリンダー１０により上記開閉ゲート９が開かれ、計量された骨材等の原料が下段のミキサ１１に投入される。
【００２６】
その他上述のように、セメントを計量する計量槽、水、混和剤、混和材等を計量する各計量槽においても、各々の計量機にて計量された原料が所定の計量値に到達した時点で、所定の順序に従って、開閉ゲート９が開成され、各原料が下段の上記ミキサ１１に投入され、混練することによって生コンクリートが製造されるように構成されている。
【００２７】
上記製造された生コンクリートは、上記ミキサ１１の下部ホッパ１２に投入され、該積み込みホッパ１２の出口１３から生コン車３０に積み込みホッパ等を介して積み込まれる。
【００２８】
次に、本発明に係る軽量骨材の供給装置の構成について説明する。
１４は上記生コンクリート製造プラント１に隣接し、地面Ｇ上に設置された軽量骨材ホッパであり、内部に加水後の軽量骨材が投入される。
【００２９】
上記軽量骨材は、図６に示すように、従来の骨材貯蔵ヤードにおける散水設備１５ａ付の軽量骨材貯蔵槽１５内に貯蔵されている。軽量骨材のように給水率の高い骨材を使用する場合は、予め上記散水設備１５ａから、当該軽量骨材貯蔵槽１５内の軽量骨材３１に万遍なく給水し、これにより骨材を濡らす必要がある（プレウェッティング）。軽量骨材は給水率が非常に高いので、十分に吸水させないと、骨材内部まで水が浸透しない。従って、使用する前には散水設備により散水を行い、例えば骨材の湿潤状態まで十分に吸水させておく。
【００３０】
ここで軽量骨材は、生コンクリートの製造に使用する骨材であり、軽石や火山礫等の天然軽量骨材、人工軽量骨材の何れも含まれる。本発明における軽量骨材は、例えばＪＩＳ  Ａ  ５００２（構造用軽量コンクリート骨材）に規定される軽量骨材、即ち、絶乾密度（ｇ／ｃｍ３）（即ち比重）が、「細骨材」の場合は、区分Ｌが１．３未満、区分Ｍが１．３以上、１．８未満、区分Ｈが１．８以上、２．３未満であり、「粗骨材」の場合は、区分Ｌが１．０未満、区分Ｍが１．０以上、１．５未満、区分Ｈが１．５以上、２．０未満のものが含まれる。生コンＪＩＳでは、構造用軽量コンクリート骨材のうち、人工軽量骨材では絶乾密度による区分Ｍ及びＨのみが使用できるとされている。ちなみに、普通骨材の密度は、２．４０〜２．８０（ｇ／ｃｍ３）程度、重量骨材の密度は、３．０（ｇ／ｃｍ３）以上となる。
【００３１】
上記骨材貯蔵槽１５には、その底面に放水口１５ｂが設けられており、当該貯蔵槽１５内に貯蔵される軽量骨材３１に散水し得るように構成されている。そして、上記軽量骨材貯槽槽１５から、搬送用スクリューコンベア１５ｃにより必要な量を上記軽量骨材ホッパ１４に投入し得るように構成されている（図６、図２参照）。
【００３２】
上記軽量骨材ホッパ１４は、上記地面Ｇ上において機枠１６により設置されており、その下部の出口１４ａの下方にはスクリューコンベア１７の始端１７ａが位置するように、当該スクリューコンベア１７が上記ホッパ１４下部に水平に設けられており、該スクリューコンベア１７の終端部１７ｂは、公知のバケットエレベータ（昇降搬送手段）１８の下部の投入口１８ａに接続されている（図２参照）。
【００３３】
上記バケットエレベータ１８の筐体１８’は上記生コンクリート製造プラント１に隣接して、当該プラント１の筐体２に平行して垂直方向に設けられている。このバケットエレベータ１８は公知の構成であり、上記筐体１８’内において、最下部と最上部にスプロケット（最上部のスプロケット１８ｂ参照、図２、図５参照）、が設けられており、上下のスプロケット間にチェン３２が掛け回され（図５参照）、上記チェン３２に一定間隔で複数のバケット３３が取り付けられ、上記上部スプロケット１８ｂを駆動モータ２８にて駆動することにより、上記チェン３２を回転駆動し、上記複数のバケット３３が下方から上方に向けて回転駆動されることにより、上記投入口１８ａから投入される軽量骨材３１を、上方に搬送し得るように構成されている。
【００３４】
このバケットエレベータ１８の高さは、上記生コンクリート製造プラント１の貯蔵瓶５ａ，５ｂの下部開閉ゲート７より若干高い位置（計量槽８の上開口部８ａ”より高い位置、即ち、軽量骨材３１を計量槽８に供給し得る高さ）まで設けられており、上記筐体１８’の上端部側面には上記上部スプロケット１８ｂにて反転したバケット３３から軽量骨材３１を、後述の正逆スクリューコンベア２１に投入するためのシュート１９が接続されている（図２、図５参照）。
【００３５】
上記シュート１９の下開口部１９ａと上記生コンクリート製造プラント１の上記計量槽８の上部との間には正逆駆動し得る正逆スクリューコンベア２１が水平に設けられており、上記シュート１９の下開口部１９ａは上記スクリューコンベア２１の一方の端部の上開口部２１ａに接続されている（図１参照）。また、上記スクリューコンベア２１の他方の端部２１ｄには、シュート２２が設けられており、該シュート２２の下開口部２２ａは上記計量槽８のホッパ８ａ’の上開口部８ａ”に接続され、上記軽量骨材３１を上記計量槽８内に直接投入し得るように構成されている（図４参照）。
【００３６】
従って、上記バケットエレベータ１８の上部スプロケット１８ｂにてバケット３３が反転すると、バケット３３内の軽量骨材３１は上記シュート１９を介して上記正逆スクリューコンベア２１内に上記上開口部２１ａから投入され、当該スクリューコンベア２１の正転により当該コンベア２１の他端部２１ｄに搬送され、上記シュート２２を介して当該軽量骨材３１を、上記計量槽８内に投入することができるように構成されている。
【００３７】
また、上記正逆スクリューコンベア２１の一方の端部は、上記上開口部２１ａより、上記生コンクリート製造プラント１とは反対側に延長された延長部２１ｂを有している（図１、図３参照）。この延長部２１ｂの終端には下開口部２１ｃが開口形成されており（図１参照）、上記下開口部２１ｃにはシュートパイプ（搬送手段）２３の上端開口２３ａが接続されており、該シュートパイプ２３の他端開口（下端開口）２３ｂは、上記軽量骨材ホッパ１４の上開口部１４ｂに接続されている（図１、図２参照、図２はシュートパイプ２３を一点鎖線にて示す）。
【００３８】
上記正逆スクリューコンベア２１の正転によって上記軽量骨材３１の所定量を上記計量槽８に投入した後、上記スクリューコンベア２１内に残留する軽量骨材を、上記正逆スクリューコンベア２１を逆転することにより、該正逆スクリューコンベア２１の反対方向に搬送し、上記延長部２１ｂの下開口部２１ｃより上記シュートパイプ２３内に投入し得るように構成されている。
【００３９】
上記シュートパイプ２３は、筒状のシュートから構成されており、上記上端開口２３ａから上記シュートパイプ２３内に投入された軽量骨材は、当該シュートパイプ２３内を自重により下降して、上記下端開口２３ｂから上記軽量骨材ホッパ１４内に投入され、当該軽量骨材３１を当該軽量骨材ホッパ１４内に戻すことができるように構成されている。尚、上記シュートパイプ２３はコンベア、バケットエレベータ等の搬送手段でも良い。
【００４０】
このように、本発明に係る軽量骨材の供給装置は、軽量骨材の軽量骨材ホッパ１４から、上記計量槽８に投入された後、上記正逆スクリューコンベア２１から上記軽量骨材ホッパ１４までの循環経路が形成されており、軽量骨材を常時、上記経路内を循環させることにより、従来のように一か所に静止状態で貯蔵（停留）することによる固化（デッドストック）を防止し、必要な量の軽量骨材を常に使用可能にすることができるように構成されている。また、必要な場合は、上記軽量骨材貯蔵槽１５から搬送用スクリューコンベア１５ｃにより、プレウェッティングされた軽量骨材を軽量骨材ホッパ１４内に投入することができ、軽量骨材ホッパ１４内にプレウェッティングされた後の新鮮な軽量骨材を補給することができる。
【００４１】
図７は、上記軽量骨材の供給装置を駆動制御するための制御装置の電気的ブロック図であり、これらの装置は上記筐体２に隣接して設けられた制御室（図示せず）内に設けられている。同図において、２５は制御部であり、図８に示す動作手順に基づいて、スクリューコンベア１７の駆動モータ２６、正逆スクリューコンベア２１の正逆駆動モータ２７、バケットエレベータ１８の駆動モータ２８を駆動制御するものであり、上記計量槽８から送られてくる計量データに基づいて、上記正逆スクリューコンベア２１を正逆駆動制御するものである。尚、２９は操作パネルである。
【００４２】
次に、本発明に係る軽量骨材の供給装置の一実施形態の動作について、図８のフローチャートに従ってその動作を説明する。
【００４３】
軽量骨材３１は、骨材貯蔵ヤードの軽量骨材貯蔵槽１５内に収納されており、散水設備１５ａにより放水口１５ｂから槽内全体の軽量骨材３１に散水し、上記軽量骨材３１はプレウェッティング状態（以下、加水状態という）にあるものとする。
【００４４】
軽量骨材を含む生コンクリートを製造する必要が生じた場合は、搬送用スクリューコンベア１５ｃを駆動して上記軽量骨材貯蔵槽１５からプレウェッティング済の軽量骨材を取り出し、上記搬送用スクリューコンベア１５ｃにより所定量の軽量骨材３１を軽量骨材ホッパ１４に上開口部１４ｂから投入する（図２参照）。
【００４５】
上記制御部２５は上記軽量骨材３１が上記軽量骨材ホッパ１４内に投入されると、まずはバケットエレベータ駆動モータ２８を駆動してバケットエレベータ１８を駆動開始する（図８Ｓ１参照）。従って、上記筐体１８’内においては、複数のバケット３３の上昇（矢印Ａ方向）、下降（矢印Ｂ方向）の循環動作が開始される。
【００４６】
その後、制御部２５は投入用スクリューコンベア１７を駆動開始する（図８Ｓ２参照）と共に、正逆駆動モータ２７を正転駆動して正逆スクリューコンベア２１を正転駆動する（図８Ｓ３参照）。
【００４７】
すると、上記軽量骨材ホッパ１４内の軽量骨材３１は、上記スクリューコンベア１７によりその出口１４ａから、当該スクリューコンベア１７内に投入され、終端部１７ｂからバケットエレベータ１８の下部の投入口１８ａより当該エレベータ１８内に投入される。上記投入口１８ａには下方から順次バケット３３が到来するので、上記軽量骨材３１は上記バケット３３内に順次投入されつつ、上記バケット３３が上昇して行き（矢印Ａ方向）、バケットエレベータ１８の上端部において、上部スプロケット１８ａによって反転されることにより、バケット３３内の軽量骨材は、シュート１９を介して、正逆スクリューコンベア２１の上開口部２１ａから正逆スクリューコンベア２１内に投入される。
【００４８】
このとき上記正逆スクリューコンベア２１は正転駆動されているので、上記投入された軽量骨材は、当該正逆スクリューコンベア２１の正転により先端部方向に搬送され（矢印Ｃ方向）、上記正逆スクリューコンベア２１の先端部２１ｄよりシュート２２を介して計量槽８（８ａ）内に投入されていく。
【００４９】
このタイミングで制御部２５は計量を開始し（図８Ｓ４参照）、計量槽８（８ａ）のロードセルによる計測値が上記計量槽８（８ａ）から上記制御部２５に送られていく。上記制御部２５は上記計量槽８（８ａ）からの計量値を認識し、必要な計量値になるまで上記正逆スクリューコンベア２１の正転駆動を維持する（図８Ｓ４，Ｓ５参照）。尚、この場合、軽量骨材の計量値は、予め操作パネル２９から制御部２５に入力しておき、基準計量値として制御部２５がデータメモリに記憶して把握しているものとする。
【００５０】
上記制御部２５は、上記軽量骨材３１の計量値が上記データメモリに予め記憶している値に一致したと認識すると、上記正逆スクリューコンベア２１の駆動モータ２７の正転駆動を停止し（図８Ｓ６参照）、直ちに、当該正逆駆動モータ２７を逆転駆動開始する（図８Ｓ６，Ｓ７参照）。上記正逆スクリューコンベア２１が駆動停止することにより、上記計量槽８（８ａ）には必要とされる軽量骨材が正確に計量されることになる。
【００５１】
尚、以後、生コンクリート製造プラント１においては、通常の制御が行われ、その他の必要な骨材、セメント、水、混和剤等の計量が上記計量槽８にて行われ、その後、計量槽８からミキサ１１に計量済の原料が送られ、上記ミキサ１１にて攪拌の後、所定量の軽量骨材を用いた生コンクリートが製造される。
【００５２】
上記の計量動作が終了して、上記正逆スクリューコンベア２１が上記停止の後、逆転駆動されると、上記上開口部２１ａから先端部２１ｄまでに残留している計量骨材３１は、逆方向（矢印Ｄ方向）に搬送され、正逆クスリューコンベア２１の延長部２１ｂの下開口部２１ｃからシュートパイプ２３内に投入される。
【００５３】
このとき、上記バケットエレベータ１８により上記軽量骨材３１は順次、上方まで搬送され、反転することで上記正逆スクリューコンベア２１に上記上開口部２１ａから投入されていくが、既に当該正逆スクリューコンベア２１は逆転駆動されているので、新たに正逆スクリューコンベア２１内に投入されていく軽量骨材も、逆方向（矢印Ｄ方向）に搬送され、上記延長部２１ｂの下開口部２１ｃから順次、上記シュートパイプ２３内に投入されていく。
【００５４】
上記シュートパイプ２３内に投入された軽量骨材３１は、当該シュートパイプ２３内を下降して行き、その下端２３ｂから軽量骨材ホッパ１４内に投入されていく。従って、この時点で軽量骨材はシュートパイプ２３を介して軽量骨材ホッパ１４に戻され、再び、スクリューコンベア１７、バケットエレベータ１８、正逆スクリューコンベア２１の循環経路を循環することになる。
【００５５】
制御部２５は、次の計量の指令があるか否かを検出し（図８Ｓ８参照）、次の計量指令がある場合は、ステップＳ３に戻って、正逆スクリューコンベア２１を正転駆動する（図８Ｓ３参照）。
【００５６】
従って、バケットエレベータ１８から上記正逆スクリューコンベア２１内に上開口部２１ａから投入される軽量骨材３１は正方向（矢印Ｃ方向）に搬送され、先端部２１ｄからシュート２２を介して計量槽８（８ａ）内に投入されていく（図８Ｓ３参照）。このタイミングで制御部２５は計量を開始し、計量槽８（８ａ）のロードセルによる計測値が上記計量槽８（８ａ）から上記制御部２５に送られていく。上記制御部２５は上記計量槽８（８ａ）からの計量値を認識し、必要な計量値になるまで上記正逆スクリューコンベア２１の正転駆動を維持する（図８Ｓ４，Ｓ５参照）。
【００５７】
そして上記制御部２５は、上記と同様に、上記計量骨材の計量値が上記データメモリに予め記憶している値に一致したと認識すると、上記正逆スクリューコンベア２１の駆動モータ２７の正転駆動を停止し（図８Ｓ６参照）、直ちに、当該正逆駆動モータ２７を逆転駆動開始する（図８Ｓ７参照）。上記正逆スクリューコンベア２１が駆動停止することにより、上記計量槽８（８ａ）には必要とされる軽量骨材が正確に計量されることになる。
【００５８】
そして、制御部２５は、次期計量動作が継続する限り、図８のステップＳ３からステップＳ８の動作を繰り返し行うことで、計量骨材３１の計量動作を継続的に行うことができる。
【００５９】
このとき、軽量骨材３１は、計量分については、軽量骨材ホッパ１４からスクリューコンベア１７を経て、バケットエレベータ１８により持ち上げられ、上記正逆スクリューコンベア２１を経て、必要な計量値のみが直接計量槽８（８ａ）内に投入され、残留した軽量骨材はシュートパイプ２３により軽量骨材ホッパ１４に戻すように構成されているから、軽量骨材３１を貯蔵槽等に長時間貯蔵（停留）する必要がなく、計量に必要でない軽量骨材は、軽量骨材ホッパ１４と正逆スクリューコンベア２１との間を、常時循環させておくことができ、プレウェッティングされた軽量骨材であっても固化させることなく、必要な量の計量骨材のみを取り出して計量使用することができる。
【００６０】
従って、制御部２５は、次期計量動作がないと判断した場合は（図８Ｓ８，Ｓ９参照）、ステップＳ７に戻って、正逆スクリューコンベア２１の逆転動作を継続する（図８Ｓ９参照）。従って、次期の計量動作がない場合は、上記正逆スクリューコンベア２１は逆転駆動されているので、上記バケットエレベータ１８にて上昇してきた軽量骨材３１は、上記正逆スクリューコンベア２１により逆方向に搬送され、上記シュートパイプ２３内を下降して上記軽量骨材ホッパ１４内に戻すことができる。
【００６１】
よって、次期の計量動作が行われなくても、軽量骨材は、軽量骨材ホッパ１４から、スクリューコンベア１７、バケットエレベータ１８、正逆スクリューコンベア２１、シュートパイプ２３を介して軽量骨材ホッパ１４に再び戻るという循環動作を繰り返すことになり、従って、軽量骨材が骨材貯蔵瓶内の一か所に貯蔵停留する状態が長時間継続することがなく、プレウェッティングされた軽量骨材を固化させることなく、いつでも取り出して計量可能な状態に維持することができる。
【００６２】
この軽量骨材の循環状態において、制御部２５は計量動作ありの指令を受けた場合は（図８Ｓ８参照）、いつでもステップＳ３に戻って、正逆スクリューコンベア２１を正転して計量動作を開始することができる。
【００６３】
制御部２５は、次期計量が存在しない場合は、さらに処理を終了してよいか否かを判断し、処理を終了する場合は、投入用スクリューコンベア１７の駆動モータ２６、正逆スクリューコンベア２１の正逆駆動モータ２７、バケットエレベータ１８の駆動モータ２８を駆動停止し（図８Ｓ１０，Ｓ１１，Ｓ１２参照）、処理を終了する。
【００６４】
尚、上記実施形態の制御では、ステップＳ５にて計量終了時に正逆スクリューコンベア２１を停止、逆転させる構成であったが、計量動作とは切り離し、計量槽８に軽量骨材を投入し当該計量槽８内の軽量骨材が所定量（例えば満杯）になったことをセンサ等にて検知したとき、上記正逆スクリューコンベア２１を停止、逆転させるように構成し、ステップＳ８，Ｓ９にて、次期計量動作の指令ではなく、上記計量槽８内の軽量骨材の量が所定量以下になったとき、これをセンサ等で検知し、正逆スクリューコンベア２１を正転動作して計量槽８に軽量骨材を投入（補充）し得るように構成しても良い。この実施形態の場合、計量槽８での軽量骨材の計量動作と当該軽量骨材の供給動作とを切り離すことができる。また、上記動作を繰り返し、軽量骨材ホッパ１４内の軽量骨材が減少した場合は、制御部２５は搬送用スクリューコンベア１５ｃを駆動して軽量骨材貯蔵槽１５からプレウェティングされた新鮮な軽量骨材を軽量骨材ホッパ１４内にいつでも補給することができる。
【００６５】
以上のように、本発明によると、加水された軽量骨材を、例えば必要な量のみ直接計量槽８に投入して計量して使用することができ、計量槽に投入されていない加水後の軽量骨材は、第２搬送コンベア（正逆スクリューコンベア２１）の逆転により、搬送手段（シュートパイプ２３）、軽量骨材ホッパ１４、第１搬送コンベア（スクリューコンベア１７）、昇降搬送手段（バケットエレベータ１８）、第２搬送コンベア（正逆スクリューコンベア２１）の経路を循環させておくことができ、一か所の貯蔵槽等に長時間保管停留させることによる軽量骨材の固化（デッドストック）を防止して、必要な量の軽量骨材をいつでも使用することができる。
【００６６】
また、軽量骨材貯蔵ヤードにおける骨材貯蔵槽１５において適宜加水することができ、第３搬送コンベア（搬送用スクリューコンベア１５ｃ）により、必要な量の軽量骨材を適宜、軽量骨材ホッパ１４に取り入れることができる。尚、図６中、３４は散水用のポンプである。
【産業上の利用可能性】
【００６７】
本発明に係る軽量骨材の供給装置によると、生コンクリート製造プラントにおいて、従来、固化により取扱いの難しかった加水された軽量骨材についても容易に取り扱うことができ、極めて効果の高いものである。
【符号の説明】
【００６８】
１              生コンクリート製造プラント
８              計量槽
１４            軽量骨材ホッパ
１５            骨材貯蔵槽
１５            散水設備
１５ｃ          搬送用スクリューコンベア（第３搬送コンベア）
１７            スクリューコンベア（第１搬送コンベア）
１８            バケットエレベータ（昇降搬送手段）
２１            正逆スクリューコンベア（第２搬送コンベア）
２３            シュートパイプ（搬送手段）
【図１】
2019181915.tif 000003
【図２】
2019181915.tif 000004
【図３】
2019181915.tif 000005
【図４】
2019181915.tif 000006
【図５】
2019181915.tif 000007
【図６】
2019181915.tif 000008
【図７】
2019181915.tif 000009
【図８】
2019181915.tif 000010
【手続補正書】
【提出日】令和1年6月10日(2019.6.10)
【手続補正１】
【補正対象書類名】特許請求の範囲
【補正対象項目名】請求項１
【補正方法】変更
【補正の内容】
【請求項１】
生コンクリート製造プラントに軽量骨材を供給する軽量骨材の供給装置であって、
加水された軽量骨材を受け入れる軽量骨材ホッパが設けられ、
上記軽量骨材ホッパから上記軽量骨材を搬出する第１搬送コンベアが設けられ、
上記第１搬出コンベアにて搬出された上記軽量骨材を上記生コンクリート製造プラントの計量槽に供給し得る高さまで搬送する昇降搬送手段が設けられ、
上記昇降搬送手段にて搬送された上記軽量骨材を上開口部より受け入れる第２搬送コンベアが設けられ、該第２搬送コンベアはその先端部が上記計量槽に接続され、正転されることで、上記昇降搬送手段で搬送された上記軽量骨材の内、必要な量の軽量骨材を上記先端部より上記計量槽内に直接投入し、逆転されることで、上記第２搬送コンベア内に残留する軽量骨材を逆方向に搬送するものであり、
上記第２搬送コンベアの逆方向搬送側の端部の下開口部と上記軽量骨材ホッパとの間を連結する搬送手段が設けられ、該搬送手段は、上記第２搬送コンベアが逆転することで上記第２搬送コンベア内に残留する上記軽量骨材が上記下開口部から投入されるものであり、上記下開口部から投入された軽量骨材を上記軽量骨材ホッパに戻すものである軽量骨材の供給装置。
【手続補正２】
【補正対象書類名】特許請求の範囲
【補正対象項目名】請求項５
【補正方法】変更
【補正の内容】
【請求項５】
請求項１記載の軽量骨材の供給装置を使用した軽量骨材の供給方法であり、
上記軽量骨材ホッパにて加水された軽量骨材を受け入れ、
上記軽量骨材ホッパから上記軽量骨材を上記第１搬送コンベアにて搬出し、
上記第１搬送コンベアにて搬出された上記軽量骨材を上記昇降搬送手段にて上記生コンクリート製造プラントの計量槽に供給し得る高さまで搬送し、
上記第２搬送コンベアを正転することで、上記昇降搬送手段から受け入れた上記軽量骨材の内、必要な量を上記計量槽内に投入し、上記計量槽にて上記軽量骨材の計量動作を行い、
上記第２搬送コンベアを逆転することで、上記第２搬送コンベア内に残留する上記軽量骨材を逆方向に搬送し、
上記第２搬送コンベアが逆転することで上記逆方向に搬送された上記残留する上記軽量骨材を上記搬送手段に投入し、上記搬送手段を通して上記軽量骨材ホッパに戻すことにより、上記残留する上記軽量骨材を、上記軽量骨材ホッパ、上記第１搬送コンベア、上記昇降搬送手段、上記第２搬送コンベア、上記搬送手段を介して上記軽量骨材ホッパに循環させるようにした軽量骨材の供給方法。
【手続補正３】
【補正対象書類名】明細書
【補正対象項目名】００１０
【補正方法】変更
【補正の内容】
【００１０】
上記目的を達成するため本発明は、
第１に、生コンクリート製造プラントに軽量骨材を供給する軽量骨材の供給装置であって、加水された軽量骨材を受け入れる軽量骨材ホッパが設けられ、上記軽量骨材ホッパから上記軽量骨材を搬出する第１搬送コンベアが設けられ、上記第１搬出コンベアにて搬出された上記軽量骨材を上記生コンクリート製造プラントの計量槽に供給し得る高さまで搬送する昇降搬送手段が設けられ、上記昇降搬送手段にて搬送された上記軽量骨材を上開口部より受け入れる第２搬送コンベアが設けられ、該第２搬送コンベアはその先端部が上記計量槽に接続され、正転されることで、上記昇降搬送手段で搬送された上記軽量骨材の内、必要な量の軽量骨材を上記先端部より上記計量槽内に直接投入し、逆転されることで、上記第２搬送コンベア内に残留する軽量骨材を逆方向に搬送するものであり、上記第２搬送コンベアの逆方向搬送側の端部の下開口部と上記軽量骨材ホッパとの間を連結する搬送手段が設けられ、該搬送手段は、上記第２搬送コンベアが逆転することで上記第２搬送コンベア内に残留する上記軽量骨材が上記下開口部から投入されるものであり、上記下開口部から投入された軽量骨材を上記軽量骨材ホッパに戻すものである軽量骨材の供給装置により構成される。
【手続補正４】
【補正対象書類名】明細書
【補正対象項目名】００１６
【補正方法】変更
【補正の内容】
【００１６】
第５に、上記第１記載の軽量骨材の供給装置を使用した軽量骨材の供給方法であり、上記軽量骨材ホッパにて加水された軽量骨材を受け入れ、上記軽量骨材ホッパから上記軽量骨材を上記第１搬送コンベアにて搬出し、上記第１搬送コンベアにて搬出された上記軽量骨材を上記昇降搬送手段にて上記生コンクリート製造プラントの計量槽に供給し得る高さまで搬送し、上記第２搬送コンベアを正転することで、上記昇降搬送手段から受け入れた上記軽量骨材の内、必要な量を上記計量槽内に投入し、上記計量槽にて上記軽量骨材の計量動作を行い、上記第２搬送コンベアを逆転することで、上記第２搬送コンベア内に残留する上記軽量骨材を逆方向に搬送し、上記第２搬送コンベアが逆転することで上記逆方向に搬送された上記残留する上記軽量骨材を上記搬送手段に投入し、上記搬送手段を通して上記軽量骨材ホッパに戻すことにより、上記残留する上記軽量骨材を、上記軽量骨材ホッパ、上記第１搬送コンベア、上記昇降搬送手段、上記第２搬送コンベア、上記搬送手段を介して上記軽量骨材ホッパに循環させるようにした軽量骨材の供給方法により構成される。
【手続補正５】
【補正対象書類名】明細書
【補正対象項目名】００１７
【補正方法】変更
【補正の内容】
【００１７】
本発明は上述のように、加水された軽量骨材を、直接計量槽に投入して計量して使用することができ、計量槽に投入した軽量骨材以外の加水後の軽量骨材は、第２搬送コンベアの逆転により、供給装置内を循環させておくことができ、一か所の貯蔵槽に長時間保管することによる軽量骨材の固化（デッドストック）を防止して、必要な量の軽量骨材をいつでも使用することができる。